【手続補正書】
【提出日】平成30年10月11日(2018.10.11)
【手続補正１】
【補正対象書類名】特許請求の範囲
【補正対象項目名】全文
【補正方法】変更
【補正の内容】
【特許請求の範囲】
【請求項１】
支持アセンブリのための相互接続アセンブリであって、前記支持アセンブリは、保持部材と、前記保持部材に接続されるストラップ部材とを備え、前記相互接続アセンブリは、
いくつかの雌相互接続部材であって、少なくともその１つは第１の本体部材と前記第１の本体部材に結合された第１の磁石とを備え、前記第１の本体部材は前記保持部材に接続され、前記第１の本体部材は開口を有する、いくつかの雌相互接続部材と、
いくつかの雄相互接続部材であって、少なくともその１つは第２の本体部材と前記第２の本体部材に結合された第２の磁石とを備え、前記第２の本体部材は前記ストラップ部材に接続され、前記第２の本体部材は略円柱状の突出部を備え、前記突出部は前記開口内に配置され、前記突出部が前記開口内に配置されたとき、前記第１の磁石は前記第２の磁石に吸着されて、それにより前記第１の本体部材を前記第２の本体部材に取り外し可能に接続する、いくつかの雄相互接続部材と
を備える、相互接続アセンブリ。
【請求項２】
前記第１の本体部材は、第１の収納部と第２の収納部とを備え、前記第１の収納部は前記第２の収納部に結合され、前記第１の収納部は第１のポケットを有し、前記第２の収納部は第２のポケットを有し、前記第１の磁石は、前記第１のポケット及び前記第２のポケットのそれぞれの内部に配置される、請求項１に記載の相互接続アセンブリ。
【請求項３】
前記第１の収納部は環状の受け部を有し、前記第２の収納部は、前記環状の受け部内へと延在する環状のフランジを備え、前記第１の磁石は、前記環状の受け部及び前記環状のフランジのそれぞれに対して内側に配置される、請求項２に記載の相互接続アセンブリ。
【請求項４】
前記第１の収納部は、孔をそれぞれが有するいくつかの第１の柱を備え、前記第２の収納部は、前記孔のうちの対応するものの内部にそれぞれが延在するいくつかの第２の柱を備える、請求項２に記載の相互接続アセンブリ。
【請求項５】
前記第１の収納部は第１の突出リップを備え、前記第２の収納部は第２の突出リップを備え、前記いくつかの第１の柱は、前記第１の突出リップから前記第２の突出リップに向かって延在する複数の第１の柱であり、前記いくつかの第２の柱は、前記第２の突出リップから前記第１の突出リップに向かって延在する複数の第２の柱であり、前記第１の突出リップ及び前記第２の突出リップは、前記保持部材の両側に配置される、請求項４に記載の相互接続アセンブリ。
【請求項６】
前記第２の本体部材は、第１のモールド部と、前記第１のモールド部及び前記第２の磁石のそれぞれを覆ってモールドされた第２のモールド部とを有し、前記第１のモールド部はポケットを有し、前記第２の磁石はポケット内に配置される、請求項１に記載の相互接続アセンブリ。
【請求項７】
前記突出部は、Ｘ字形状の長尺体を備え、前記Ｘ字形状の長尺体は、前記第１のモールド部に配置される、請求項６に記載の相互接続アセンブリ。
【請求項８】
前記第１のモールド部は、第１の端部と、第２の端部と、いくつかの安定化突起部とを備え、前記第１の端部は、前記第２の端部の反対側にあり、前記第１の端部は、前記ストラップ部材に接続され、前記安定化突起部のそれぞれは、前記第２の端部の近くに配置される、請求項６に記載の相互接続アセンブリ。
【請求項９】
前記第１の磁石は、前記第１の本体部材の前記開口と位置の揃った第１の貫通孔を有し、前記第２の磁石は第２の貫通孔を有し、前記突出部は、前記第２の貫通孔を貫通して延在し、前記第１の磁石及び前記第２の磁石のそれぞれは円盤状であり、前記第１の磁石は、実質的に前記第２の磁石に重なっている、請求項１に記載の相互接続アセンブリ。
【請求項１０】
保持部材と、
前記保持部材に接続されるストラップ部材と、
相互接続アセンブリとを備える支持アセンブリであって、
前記相互接続アセンブリは、
いくつかの雌相互接続部材であって、少なくともその１つは第１の本体部材と前記第１の本体部材に結合された第１の磁石とを備え、前記第１の本体部材は前記保持部材に接続され、前記第１の本体部材は開口を有する、いくつかの雌相互接続部材と、
いくつかの雄相互接続部材であって、少なくともその１つは第２の本体部材と前記第２の本体部材に結合された第２の磁石とを備え、前記第２の本体部材は前記ストラップ部材に接続され、前記第２の本体部材は円柱状の突出部を備え、前記突出部は前記開口内に配置され、前記突出部が前記開口内に配置されたことに応じて、前記第１の磁石は前記第２の磁石に吸着されて、それにより前記第１の本体部材を前記第２の本体部材に取り外し可能に接続する、いくつかの雄相互接続部材と
を備える、支持アセンブリ。
【請求項１１】
前記保持部材は、患者インターフェースデバイスのためのマスクフレームであり、前記ストラップ部材は、前記患者インターフェースデバイスのためのヘッドギアストラップである、請求項１０に記載の支持アセンブリ。
【請求項１２】
前記マスクフレームは少なくとも１つの端部を備え、前記少なくとも１つの端部はいくつかの貫通孔を有し、前記第１の本体部材は第１の収納部と第２の収納部とを備え、前記第１の収納部は、孔をそれぞれが有するいくつかの第１の柱を有し、前記第２の収納部は、前記第１の柱の前記孔のうちの対応するものの内部にそれぞれが配置されたいくつかの第２の柱を備え、前記いくつかの第１の柱及び前記いくつかの第２の柱のそれぞれは、前記マスクフレームを前記第１の本体部材に接続するために、前記少なくとも１つの端部の前記貫通孔のうちの対応するものを貫通して延在する、請求項１１に記載の支持アセンブリ。
【請求項１３】
前記少なくとも１つの雌相互接続部材は、第１の雌相互接続部材と、第２の雌相互接続部材とを備え、前記少なくとも１つの雄相互接続部材は、第１の雄相互接続部材と、第２の雄相互接続部材とを備え、前記保持部材は、第１の端部と、前記第１の端部の反対側の第２の端部とを備え、前記第１の端部は第１の窪んだ受け部を備え、前記第２の端部は第２の窪んだ受け部を備え、前記第１の雌相互接続部材及び前記第１の雄相互接続部材は、前記第１の窪んだ受け部をヘッドギアストラップに接続し、前記第２の雌相互接続部材及び前記第２の雄相互接続部材は、前記第２の窪んだ受け部を前記ヘッドギアストラップに接続する、請求項１０に記載の支持アセンブリ。
【請求項１４】
前記第１の雌相互接続部材の前記第１の磁石は、第１のＮ極と、第１のＳ極とを有し、前記第１のＮ極は、前記第１のＳ極と前記第１の雄相互接続部材の前記第２の磁石との間に配置され、前記第２の雌相互接続部材の前記第１の磁石は、第２のＮ極と、第２のＳ極とを有し、前記第２のＳ極は、前記第２のＮ極と前記第２の雄相互接続部材の前記第２の磁石との間に配置される、請求項１３に記載の支持アセンブリ。
【手続補正２】
【補正対象書類名】明細書
【補正対象項目名】００１５
【補正方法】変更
【補正の内容】
【００１５】
図３Ａ及び図３Ｂを参照すると、雌相互接続部材１１０は、雄相互接続部材１５０に取り外し可能に接続される。より具体的には、図３Ｂを参照すると、雌相互接続部材１１０は、開口１１４を有する本体部材１１２を含み、雄相互接続部材１５０は、円柱状の突出部１５４を有する本体部材１５２を含む。突出部１５４が開口１１４内に設置されたとき、雌相互接続部材１１０は、雄相互接続部材１５０に磁気的に吸着されて、それにより本体部材１１２を本体部材１５２に取り外し可能に接続する。